(57)【要約】【課題】ハンドフリー通話モードとハンドセット通話モードとが利用可能なハンドセットを有する電話装置において、ハンドセット通話からハンドフリー通話への変更を可能にする。【解決手段】ハンドフリー通話モードによる通話中に人近接センサが人体の近接を検知した場合、また、接触センサがＯＮになった場合、音量制御手段はスピーカの再生音量を所定のレベル以下に低減する。ハンドセット通話からハンドフリー通話への変更は、人近接センサＯＦＦ、接触センサＯＦＦの状態でのみ受け付ける。【選択図】図２
2011254324.tif 000002
【特許請求の範囲】
【請求項１】
ハンドセットとハンドフリーユニットとを兼用する送受話ユニットを備える電話装置であって、
通話者が前記送受話ユニットを口および耳に近接して通話するハンドセット通話モードと通話者が前記送受話ユニットから離れた位置で通話するハンドフリー通話モードを切換える通話モード切換手段と、前記送受話ユニットのスピーカ近傍の部位と人体との近接を検知する人近接センサと、マイクの感度またはスピーカの音量を制御する音量制御手段と、を有し、
前記ハンドフリー通話モードによる通話中に前記人近接センサが人体の近接を検知した場合に、前記音量制御手段は前記スピーカの再生音量を所定のレベル以下に低減するまたは前記通話モード切換手段は前記ハンドセット通話モードに切換えることを特徴とする電話装置。
【請求項２】
ハンドセットとハンドフリーユニットとを兼用する送受話ユニットと電話機本体から構成される電話装置であって、
前記電話装置は、通話者が前記送受話ユニットを口および耳に近接して通話するハンドセット通話モードと通話者が前記送受話ユニットから離れた位置で通話するハンドフリー通話モードを切換える通話モード切換手段と、前記送受話ユニットのスピーカ近傍の部位と人体との近接を検知する人近接センサと、マイクの感度またはスピーカの音量を制御する音量制御手段と、を有し、
前記送受話ユニットは、通話者が自送受話ユニットを握っていることを検知するグリップセンサを有し、
前記グリップセンサが自送受話ユニットは通話者に握られていると検知した場合に、前記モード切換手段は前記ハンドセット通話モードに切換えることを特徴とする電話装置。
【発明の詳細な説明】
【技術分野】
【０００１】
本発明は電話装置に係り、特にハンドセットとハンドフリーユニットを兼用する送受話ユニットを有する電話装置に関する。
【背景技術】
【０００２】
特許文献１は、ハンドセットのスピーカとマイクを使用して、ハンドセット通話モードとハンドフリー通話モードを切換えて使用することができる通話装置を開示する。特許文献１は、ハンドセットのマイクとスピーカをハンドフリー用として使用し、本体電話機装置のマイクとスピーカを削除する。これによって、回路の合理化をはかるものである。ハンドフリー通話時においては、本体電話機装置の上面の指定の箇所にハンドセットを逆向きに設置し、裏か表かを本体電話機装置内の磁気センサによって検知する。特許文献１は、ハンドフリー通話からハンドセットによる通話へ切り換えることができる。また、磁気センサによりハンドフリー通話からハンドセットによる通話に切り換えることができる。
【先行技術文献】
【特許文献】
【０００３】
【特許文献１】特開２００２−２２３２８７号公報
【発明の概要】
【発明が解決しようとする課題】
【０００４】
しかしながら特許文献１は、ハンドセットによる通話からハンドフリーによる通話への切り換えを開示していない。また、特許文献１は、ハンドフリー通話として使用する場合、ハンドフリー用の通話釦を必ず押す必要がある。また、ハンドフリー通話として使用する場合、ハンドセットを本体電話機装置の上部に設置する必要がある。
【０００５】
本発明は、ハンドセットによる通話からハンドフリーによる通話への切り換えを可能とする電話装置を提供する。また、ハンドフリー通話として使用する場合、電話機本体以外の机上にも置くことができる電話装置を提供する。
【課題を解決するための手段】
【０００６】
上述した課題は、ハンドセットとハンドフリーユニットを兼用する送受話ユニットを備える電話装置であって、通話者が送受話ユニットを口および耳に近接して通話するハンドセット通話モードと通話者が送受話ユニットから離れた位置で通話するハンドフリー通話モードを切換える通話モード切換手段と、送受話ユニットのスピーカ近傍の部位と人体との近接を検知する人近接センサと、マイクの感度またはスピーカの音量を制御する音量制御手段と、を有し、ハンドフリー通話モードによる通話中に人近接センサが人体の近接を検知した場合に、音量制御手段はスピーカの再生音量を所定のレベル以下に低減するまたは通話モード切換手段はハンドセット通話モードに切換える電話装置により、達成できる。
【０００７】
また、ハンドセットとハンドフリーユニットを兼用する送受話ユニットと電話機本体から構成される電話装置であって、電話装置は、通話者が送受話ユニットを口および耳に近接して通話するハンドセット通話モードと通話者が送受話ユニットから離れた位置で通話するハンドフリー通話モードを切換える通話モード切換手段と、送受話ユニットのスピーカ近傍の部位と人体との近接を検知する人近接センサと、マイクの感度またはスピーカの音量を制御する音量制御手段と、を有し、送受話ユニットは、通話者が自送受話ユニットを握っていることを検知するグリップセンサを有し、グリップセンサが自送受話ユニットは通話者に握られていると検知した場合に、モード切換手段はハンドセット通話モードに切換える電話装置により、達成できる。
【発明の効果】
【０００８】
本発明によれば、ハンドセットによる通話からハンドフリーによる通話への切り換えが可能で、置き場所を特定しない電話装置を提供できる。
【図面の簡単な説明】
【０００９】
【図１】ハンドセットと電話機本体とからなる電話装置のブロック図である。
【図２】電話装置の動作フローチャートである。
【発明を実施するための形態】
【００１０】
以下、本発明の実施の形態について、実施例を用い図面を参照しながら詳細に説明する。なお、実質同一部位には同じ参照番号を振り、説明は繰り返さない。
【００１１】
図１を参照して、ハンドセットとハンドフリーユニットを兼用する送受話ユニットと、電話機本体とを有する電話装置を説明する。図１において、電話装置５００は、ハンドセット１と、電話機本体２とからなる。
【００１２】
ハンドセット１は、通話ユニット１００と、スピーカ１０１と、マイク１０２と、接触センサ１０４と、人近接センサ１０５と、ボリューム（ＶＲ）１０６と、インターフェース（ＩＦ）１１１と、ハンドフリー（ＨＦ）設定スイッチ１１４とからなる。
【００１３】
通話ユニット１００は、ハンドフリー通話モードとハンドセット通話モードの（ＨＦ／ＨＳ）切換制御部１０３と、ハンドセット（ＨＳ）アンプ１０７と、ハンドフリー（ＨＦ）アンプ１０８と、ハンドセット（ＨＳ）アンプ１０９と、ハンドフリー（ＨＦ）アンプ１１０と、切換スイッチ１１２と、切換スイッチ１１３とから構成される。
電話機本体２は、インターフェース（ＩＦ）２０１を含む。
【００１４】
インターフェース１１１、２０１は、電話機本体２とハンドセット１を接続する。接触センサ１０４と人近接センサ１０６は、ＯＮ状態のとき、ハンドセット通話モードと判定する。ＶＲ１０５は、ハンドフリー通話モードでのスピーカの音量を調整する。ＨＦ設定スイッチ１１４は、ハンドフリー通話モードへ切り換える。ＨＦ／ＨＳ切換制御部１０３は、ハンドフリー通話モードとハンドセット通話モードを切り換える。
【００１５】
ＨＳアンプ１０７は、ハンドセット通話モード時のスピーカ１０１のアンプである。ＨＦアンプ１０８は、ハンドフリー通話モード時のスピーカ１０１のアンプである。ＨＳアンプ１０９は、ハンドセット時のマイク１０２のアンプである。ＨＦアンプ１１０は、ハンドフリー時のマイク１０２のアンプである。
【００１６】
切換スイッチ１１２は、スピーカ１０１のハンドフリー通話モードとハンドセット通話モードを切り換える。切換スイッチ１１３は、マイク１０２のハンドフリー通話モードとハンドセット通話モードを切り換える。
【００１７】
接触センサ１０４は、機械的なスイッチであり、オフフック時にＯＮを検出するのは、耳付近に接触したときである。接触センサ１０４は、オンフック時にもＯＮになるが、無効である。人近接センサ１０５は、具体的には赤外線センサであり、頭部からの赤外線を検出してＯＮになる。
【００１８】
上述した実施例において、人近接センサ１０６の代わりに、グリップセンサを用いてもよい。グリップセンサは、ハンドセット１を人が持っていることを検出するセンサである。図１では、ハンドセット１と電話機本体２とは、有線接続しているが、インターフェース１１１、２０１が無線の場合でも同様である。
【００１９】
図２を参照して、ハンドセットとハンドフリーユニットを兼用する送受機を有する電話装置５００の動作フローを説明する。図２において、電話装置５００は、オフフックの検出を待つ（Ｓ１０１）。ステップ１０１でＹＥＳのとき、電話装置５００は、スピーカの音量をハンドセットモードとする（Ｓ１０２）。電話装置５００は、マイク感度をハンドセットモードとする（Ｓ１０３）。電話装置５００は、ハンドセット通話モードを構築する（Ｓ１０４）。ステップ１０４は、具体的には、切換スイッチ１０２、１０３の設定である。
【００２０】
電話装置５００は、オンフックを検出したか判定する（Ｓ１０５）。ＹＥＳのとき、電話装置５００は、終了する。ステップ１０５でＮＯのとき、電話装置５００は、接触センサが検知中か判定する（Ｓ１０６）。ＹＥＳのとき、電話装置５００は、ステップ１０５に戻る。ステップ１０６でＮＯのとき、電話装置５００は、近接センサが検知中か判定する（Ｓ１０７）。ＹＥＳのとき、電話装置５００は、ステップ１０５に戻る。ステップ１０７でＮＯのとき、電話装置５００は、ハンドフリー通話モード設定か判定する（Ｓ１０８）。ＹＥＳのとき、電話装置５００は、スピーカ音量をハンドフリーモードに設定する（Ｓ１０９）。電話装置５００は、マイク感度をハンドフリーモードに設定する。（Ｓ１１０）。電話装置５００は、ハンドフリー通話モードを構築する（Ｓ１１１）。ステップ１１１は、具体的には、切換スイッチ１０２、１０３の設定である。
【００２１】
電話装置５００は、ボリュームＵＰ操作があったか判定する（Ｓ１１２）。ＹＥＳのとき、電話装置５００は、スピーカのボリュームをアップする（Ｓ１１７）。ステップ１１７の後およびステップ１１２でＮＯのとき、電話装置５００は、ボリュームＤＯＷＮ操作があったか判定する（Ｓ１１３）。ＹＥＳのとき、電話装置５００は、スピーカのボリュームをダウンする（Ｓ１１８）。ステップ１１８の後およびステップ１１３でＮＯのとき、電話装置５００は、オンフックされたか判定する（Ｓ１１４）。ＹＥＳのとき、電話装置５００は、終了する。ステップ１１４でＮＯのとき、電話装置５００は、接触センサが検知しているか判定する（Ｓ１１５）。ＹＥＳのとき、電話装置５００は、ステップ１０２に遷移する。ステップ１１５でＮＯのとき、電話装置５００は、近接センサが検知しているか判定する（Ｓ１１６）。ＹＥＳのとき、電話装置５００は、ステップ１０２に遷移する。ステップ１１６でＮＯのとき、電話装置５００は、ステップ１１２に遷移する。
ステップ１０８でＮＯのとき、電話装置５００は、ステップ１０５に遷移する。
【００２２】
上述した実施例に拠れば、ハンドセットによる通話からハンドフリーによる通話への切り換えが可能で、置き場所を特定しない電話装置を提供できる。
【符号の説明】
【００２３】
１…ハンドセット、２…電話機本体、１００…通話ユニット、１０１…スピーカ、１０２…マイク、１０３…ハンドフリー通話モードとハンドセット通話モードの切換制御部、１０４…接触センサ、１０５…ＶＲ（スピーカの音量調整ボリューム）、１０６…人近接センサ、１０７…スピーカのハンドセット通話モード時のＡＭＰ、１０８…スピーカのハンドフリー通話モード時のＡＭＰ、１０９…マイクのハンドセット通話モード時のＡＭＰ、１１０…マイクのハンドフリー通話モード時のＡＭＰ、１１１…電話機本体とのインターフェース部、１１２…スピーカのハンドフリー通話モードとハンドセット通話モードの切換用スイッチ、１１３…マイクのハンドフリー通話モードとハンドセット通話モードの切換用スイッチ、１１４…ハンドフリー通話への切換設定スイッチ、２０１…ハンドセットとのインターフェース部、５００…電話装置。
【図１】
2011254324.tif 000003
【図２】
2011254324.tif 000004